(57)【要約】【課題】防振部材の長さによるモータ振動の増幅を極力抑え、振動の少ない空気調和機の送風装置を得る。【解決手段】空気調和機本体と、この空気調和機本体内に配設され、室内空気を冷却する熱交換器と、この熱交換器の空気流の下流側に配設され、前記室内空気の風路を形成するファンケーシングと、このファンケーシング内に設けられ、前記室内空気を送風するラインフローファンと、このラインフローファンに軸を介して接続され、当該ファンを駆動するモータと、を備えた空気調和機の送風装置において、前記ファンケーシングの側壁面に設けられ、前記軸を通す前記モータ側に突出した筒状のケーシング開口部と、この開口部と前記モータの軸受け部とに装着され、前記モータからの振動を緩和する筒状の防振部材と、を具備したものである。【選択図】　　　　図１
2004144318.tif 000002
【特許請求の範囲】
【請求項１】
空気調和機本体と、この空気調和機本体内に配設され、室内空気を冷却する熱交換器と、この熱交換器の空気流の下流側に配設され、前記室内空気の風路を形成するファンケーシングと、このファンケーシング内に設けられ、前記室内空気を送風するラインフローファンと、このラインフローファンに軸を介して接続され、当該ファンを駆動するモータと、を備えた空気調和機の送風装置において、
前記ファンケーシングの側壁面に設けられ、前記軸を通す前記モータ側に突出した筒状のケーシング開口部と、この開口部と前記モータの軸受け部とに装着され、前記モータからの振動を緩和する筒状の防振部材と、を具備したことを特徴する空気調和機の送風装置。
【請求項２】
前記筒状の防振部材が、前記開口部と前記モータの軸受け部とに装着される時に、前記開口部に当接して装着されたことを特徴する請求項１に記載の空気調和機の送風装置。
【請求項３】
前記軸と前記ラインフローファンとを連結するボス部が、前記筒状のケーシング開口部に位置するように構成されたことを特徴する請求項１又は２に記載の空気調和機の送風装置。
【請求項４】
ねじ穴が、前記筒状のケーシング開口部の筒壁面に設けられ、前記軸と前記ラインフローファンとをねじで連結できるようにしたことを特徴する請求項３に記載の空気調和機の送風装置。
【請求項５】
キャップが、前記ねじ穴を覆うように装着され、前記モータ側の空気を遮断することを特徴する請求項４に記載の空気調和機の送風装置。
【請求項６】
空気調和機本体と、この空気調和機本体内に配設され、室内空気を冷却する熱交換器と、この熱交換器の空気流の下流側に配設され、前記室内空気の風路を形成するファンケーシングと、このファンケーシング内に設けられ、前記室内空気を送風するラインフローファンと、このラインフローファンに軸を介して接続され、当該ファンを駆動するモータと、を備えた空気調和機の送風装置において、
前記ファンケーシングの側壁面に設けられ、前記軸を通すケーシング開口部と、この開口部と前記モータの軸受け部とに装着され、前記モータからの振動を緩和する筒状の防振部材と、を具備し、前記ラインフローファンと前記軸とを連結する連結部が、前記筒状防振部材内に設けられたことを特徴とする空気調和機の送風装置。
【請求項７】
ねじ穴が、前記筒状の防振部材の筒壁面に設けられ、前記軸と前記ラインフローファンとをねじで連結できるようにしたことを特徴する請求項６に記載の空気調和機の送風装置。
【発明の詳細な説明】
【０００１】
【発明の属する技術分野】
本発明は、空気調和機の室内ユニットの送風装置に関するものである。
【０００２】
【従来の技術】
従来の空気調和機の送風装置は、送風機モータのシャフトの外周に筒状のシャフトカバーを被着し、このシャフトカバーの一側をモータの軸受け部に取り付けた防振部材の外周に挿着し、他側をラインフローファンの通風路とモータ取付空間とを仕切る仕切板の挿通孔に嵌着し、この挿通孔から外気が侵入するのを防ぎ、ラインフローファン等への結露を防止するようにしたものがある。（例えば、特許文献１参照）
【０００３】
【特許文献１】
特開昭１０−６１９６４号公報（第４頁、第２図）
【０００４】
【発明が解決しようとする課題】
以上説明したように、従来の空気調和機の送風装置は、シャフトカバーの一側をモータの軸受け部に取り付けた防振部材の外周に挿着し、他側を仕切板の挿通孔に嵌着し、外気が挿通孔から侵入しない構造としているので、結露は防止されるものの、モータの振動が防振部材を介してこの防振部材より長いシャフトカバーから通風路ケーシングへ伝達される構造となっているため、シャフトカバーが振動を増幅して伝達するという問題があった。
また、仕切板の挿通孔にシャフトカバーを挿着し、このシャフトカバー先端の通風路側内でラインフローファンとモータシャフトとを連結する構成のため、仕切板とラインフローファンとの間の距離が大きくなり、風切り音が増大するという問題があった。
【０００５】
この発明は、上記のような問題点を解決するためになされたもので、ラインフローファン等への結露を防止しながら振動を少なくした空気調和機の送風装置を得ることを目的としている。
【０００６】
また、ラインフローファンの風力によるファンケーシング開口部の風切り音を少なくした空気調和機の送風装置を得ることを目的としている。
【０００７】
【課題を解決するための手段】
本発明の空気調和機の送風装置においては、空気調和機本体と、この空気調和機本体内に配設され、室内空気を冷却する熱交換器と、この熱交換器の空気流の下流側に配設され、前記室内空気の風路を形成するファンケーシングと、このファンケーシング内に設けられ、前記室内空気を送風するラインフローファンと、このラインフローファンに軸を介して接続され、当該ファンを駆動するモータと、を備えた空気調和機の送風装置において、
前記ファンケーシングの側壁面に設けられ、前記軸を通す前記モータ側に突出した筒状のケーシング開口部と、この開口部と前記モータの軸受け部とに装着され、前記モータからの振動を緩和する筒状の防振部材と、を具備したものである。
【０００８】
また、前記筒状の防振部材が、前記開口部と前記モータの軸受け部とに装着される時に、前記開口部に当接して装着されたものである。
【０００９】
また、前記軸と前記ラインフローファンとを連結するボス部が、前記筒状のケーシング開口部に位置するように構成されたものである。
【００１０】
また、ねじ穴が、前記筒状のケーシング開口部の筒壁面に設けられ、前記軸と前記ラインフローファンとをねじで連結できるようにしたものである。
【００１１】
また、キャップが、前記ねじ穴を覆うように装着され、前記モータ側の空気を遮断するものである。
【００１２】
また、空気調和機本体と、この空気調和機本体内に配設され、室内空気を冷却する熱交換器と、この熱交換器の空気流の下流側に配設され、前記室内空気の風路を形成するファンケーシングと、このファンケーシング内に設けられ、前記室内空気を送風するラインフローファンと、このラインフローファンに軸を介して接続され、当該ファンを駆動するモータと、を備えた空気調和機の送風装置において、
前記ファンケーシングの側壁面に設けられ、前記軸を通すケーシング開口部と、この開口部と前記モータの軸受け部とに装着され、前記モータからの振動を緩和する筒状の防振部材と、を具備し、前記ラインフローファンと前記軸とを連結する連結部が、前記筒状防振部材内に設けられたものである。
【００１３】
また、ねじ穴が、前記筒状の防振部材の筒壁面に設けられ、前記軸と前記ラインフローファンとをねじで連結できるようにしたものである。
【００１４】
【発明の実施の形態】
実施の形態１．
以下、本発明の実施の形態１について図１から３を用いながら説明する。
なお、図１は本発明に係わる空気調和機の送風装置の部分透視斜視図であり、図２は本発明に係わる空気調和機本体の断面図であり、図３は本発明に係わる空気調和機の送風装置の部分断面図である。
【００１５】
これらの図において、１は室内の空気を空調する空気調和機の本体、２はこの本体１ａ内に設けられ、通過空気を空調する熱交換器、３はこの熱交換器２からの空気を本体の吹出口へ導くファンケーシング、４はこのファンケーシング３に収納され、空気を送風するラインフローファン、５はこのラインフローファン４に軸５ａを介して連結され、ラインフローファン４を駆動するモータである。
なお、このモータの軸５ａはケーシング側板３ａに設けられたモータ側へ突出した筒状の開口部３ｂを貫通してねじ等によりファンケーシング３内のラインフローファン４を固着する。
【００１６】
また、６はこのモータ５の軸受け部５ｂに取り付けられ、モータ５の振動伝播を緩和するゴム又は軟質プラスチクからなる筒状の防振部材であり、この防振部材６はケーシング側板３ａの筒状開口部３ｂの周囲面に当接してモータ５側の暖かい空気がファンケーシング３内に侵入するのを防止するようにしている。
また、７はこの防振部材６を介してモータ５の軸受け部５ｂを挟持するように取り付けられ、モータ５を本体１に支持する支持部材である。
なお、図１の白抜き矢印は空気調和機の空気の流れを示す。
【００１７】
次に、このように構成された動作について図２、３を用いながら説明する。
まず、電源が投入され、モータ５が駆動し，モータ軸５ａが回転すると、このモータ軸５ａにねじ８で固定されたファンケーシング３内のラインフローファン４が回転し、この回転によりラインフローファン４を収納したファンケーシング３の吸込側は負圧状態となり、吹出側は陽圧状態となるため、室内空気は本体１の吸込口から熱交換器２を通過して、ファンケーシング３の吸込口３ｃへ吸込まれ、その吹出口３ｄから本体１の吹出口１ｂを介して室内へ吹出される。
【００１８】
なお、この時、モータ軸５ａが貫通したケーシング３のモータ側へ突出した筒状開口部３ｂの先端端部に、そのモータ軸受け部５ｂを支持する防振部材６が当接又は挿着されて開口部３ｂを塞ぐので、ファンケーシング３内が負圧になっても、陽圧になっても、ケーシング開口部３ｂからモータ５側の暖かい空気が侵入しなくなり、熱交換器２を通過した冷たい空気と混合しなくなるため、ファンケーシング内の結露を防止できる。
【００１９】
しかも、この時、モータ側へ突出した筒状開口部３ｂの構造によって、その突出した分だけ防振部材６の長さを短くし、防振部材６の長さによるモータ振動の増幅を極力抑えるようにして、モータ振動がファンケーシング３へ余り伝わらなくしいるので、ファンケーシング３の振動が緩和される。
【００２０】
また、この時、モータ側へ突出した筒状開口部３ｂの先端端部に防振部材６を当接させるようにすると、組立・分解が容易になるため、互換性の優れた構造となる。
【００２１】
実施の形態２．
この発明の実施の形態２について図４、５を用いながら説明する。
なお、図４はモータとラインフローファンとの関係を示した斜視図であり、図５は、その断面図である。
これらの図４、５に示されるように、この実施の形態２においては、筒状開口部３ｂの筒壁面３ｆにねじ８を通すねじ穴３ｅを設け、ラインフローファン４とモータ軸５ａとを連結する連結部（ボス部）４ａが筒状開口部３ｂに位置するようにしたものである。
なお、その他の構成は実施の形態１とほぼ同じなので、説明を割愛する。
【００２２】
次に、このように構成された動作について説明する。
まず、電源が投入され、モータ５が駆動し，モータ軸５ａが回転すると、このモータ軸５ａに固定ねじ８で固定されたファンケーシング３内のラインフローファン４が回転し、この回転によりラインフローファン４を収納したファンケーシング３の吸込側は負圧状態となり、吹出側は陽圧状態となるため、室内空気は本体１の吸込口から熱交換器２を通過して、ファンケーシング３の吸込口３ｃへ吸込まれ、その吹出口３ｄから本体１の吹出口１ｂを介して室内へ吹出される。
【００２３】
なお、この時、ラインフローファン４のボス４ａとモータ軸５ａとを連結する連結部を筒状開口部３ｂに位置するようにしたので、連結部（ボス部）を筒状開口部３ｂの方へ移動した分だけ、ラインフローファン４の側壁面とファンケーシングの開口部との距離が接近するため、ラインフローファン４の風力によって生じる筒状開口部３ｂの笛吹き音（風切り音）は小さくなる。
【００２４】
また、この時、モータ側へ突出した筒状開口部３ｂの先端端部に防振部材６を当接又は挿着させるようにしたので、ケーシング開口部３ｂからモータ５側の暖かい空気が侵入しなくなるものの、筒状開口部３ｂの筒壁面３ｆにねじ穴３ｅを設けたので、ねじ穴３ｅから侵入する。しかし、このねじ穴３ｅの開口面積は非常に小さいので、ほとんど無視できる。
【００２５】
なお、このねじ穴３ｅからモータ５側の暖かい空気が侵入しないようにするために、このねじ穴３ｅにキャップ９を装着させるようにしても良い。
また、このキャップ９はねじ穴３ｅに直接取付けるような構造にしても良いし、或いは、そのまわり全体を覆う間接的な構造にしても良い。
【００２６】
実施の形態３．
この発明の実施の形態３においては、図６、７に示すように、実施の形態２のモータ側へ突出した筒状開口部３ｂを、単なる穴又は絞り（バーリング）形状の穴にして、その穴の周囲に筒状の防振部材６を当接又は挿着させ、ラインフローファン４とモータ軸５ａとの連結部位が筒状防振部材内に位置するようにしたものである。
なお、この時、ラインフローファン４とモータ軸５ａとを連結固定させるねじ８を通すねじ穴は筒状の防振部材の側壁面に設けることになる。
その他の構成は、実施の形態２とほぼ同じなので、説明を割愛する。
【００２７】
また、このように構成された動作も、その作用効果も実施の形態２とほぼ同じこととなるので、詳細な説明は割愛する。
【００２８】
【発明の効果】
以上説明したように、空気調和機本体と、この空気調和機本体内に配設され、室内空気を冷却する熱交換器と、この熱交換器の空気流の下流側に配設され、前記室内空気の風路を形成するファンケーシングと、このファンケーシング内に設けられ、前記室内空気を送風するラインフローファンと、このラインフローファンに軸を介して接続され、当該ファンを駆動するモータと、を備えた空気調和機の送風装置において、
前記ファンケーシングの側壁面に設けられ、前記軸を通す前記モータ側に突出した筒状のケーシング開口部と、この開口部と前記モータの軸受け部とに装着され、前記モータからの振動を緩和する筒状の防振部材と、を具備したので、ラインフローファン等への結露を防止しながら、突出した筒状のケーシング開口部だけ、防振部材の長さを短くして、防振部材の長さによるモータ振動の増幅を極力抑えるようにしたので、振動の少ない空気調和機の送風装置が得られる。
【００２９】
また、前記筒状の防振部材が、前記開口部と前記モータの軸受け部とに装着される時に、前記開口部に当接して装着されたので、振動が少なく、組立性の良い空気調和機の送風装置が得られる。
【００３０】
また、前記軸と前記ラインフローファンとを連結するボス部が、前記筒状のケーシング開口部に位置するように構成されたので、連結部（ボス部）を筒状開口部の方へ移動した分だけ、ラインフローファンの側面がファンケーシング開口部に接近するため、ラインフローファンの風力によって生じるファンケーシング開口部の笛吹き音（風切り音）を小さくした空気調和機の送風装置が得られる。
【００３１】
また、ねじ穴が、前記筒状のケーシング開口部の筒壁面に設けられ、前記軸と前記ラインフローファンとをねじで連結できるようにしたので、組立性の良い空気調和機の送風装置が得られる。
【００３２】
また、キャップが、前記ねじ穴を覆うように装着され、前記モータ側の空気を遮断するので、モータ側からの暖かい空気が侵入しないようにするため、結露を抑制した空気調和機の送風装置が得られる。
【００３３】
また、前記ファンケーシングの側壁面に設けられ、前記軸を通すケーシング開口部と、この開口部と前記モータの軸受け部とに装着され、前記モータからの振動を緩和する筒状の防振部材と、を具備し、前記ラインフローファンと前記軸とを連結する連結部が、前記筒状防振部材内に設けられたので、連結部（ボス部）を筒状開口部の方へ移動した分だけ、ラインフローファンの側面がファンケーシング開口部に接近するため、ラインフローファンの風力によって生じるファンケーシング開口部の笛吹き音（風切り音）を小さくした空気調和機の送風装置が得られる。
【図面の簡単な説明】
【図１】本発明の実施の形態１に係わる空気調和機の送風装置の概略透視斜視図である。
【図２】本発明の実施の形態１に係わる本発明に係わる空気調和機本体の断面図でる。
【図３】本発明の実施の形態１に係わる空気調和機の送風装置の断面図である。
【図４】本発明の実施の形態２に係わる空気調和機の送風装置の斜視図である。
【図５】本発明の実施の形態２に係わる空気調和機の送風装置の断面図である。
【図６】本発明の実施の形態３に係わる空気調和機の送風装置の斜視図である。
【図７】本発明の実施の形態３に係わる空気調和機の送風装置の断面図である。
【符号の説明】
１　空気調和機本体、　２熱交換器、　３　ファンケーシング、　３ａ　ケーシング側板、　３ｂ　筒状のケーシング開口部、　３ｆ　筒壁面、　３ｅ　ねじ穴、　４　ラインフローファン、　４ａ　ファンボス、　５　モータ、　５ａ　モータ軸、　５ｂ　軸受け部、　６　防振部材、　７　支持部材、　８　ねじ、
９　キャップ。
【図１】
2004144318.tif 000003
【図２】
2004144318.tif 000004
【図３】
2004144318.tif 000005
【図４】
2004144318.tif 000006
【図５】
2004144318.tif 000007
【図６】
2004144318.tif 000008
【図７】
2004144318.tif 000009